(57)【特許請求の範囲】
【請求項１】
機体の前側に刈取装置（１６）と掻込オーガ（２０）を備えた刈取前処理装置（１３）を設け、該刈取前処理装置（１３）の後側には、左右一側に操縦席（３）を設け、左右他側には刈取装置（１６）で刈り取った穀稈を掻込オーガ（２０）から引き継いで脱穀装置（４）へ供給するフィーダー（２１）を内装したフィーダーケース（５）を設けた汎用コンバインにおいて、前記フィーダーケース（５）の外側面に該フィーダーケース（５）内の塵埃を吸引する吸引ファン（７）を設けると共に、フィーダーケース（５）の操縦席（３）側の面に吸塵口（６）を設けたことを特徴とする汎用コンバイン。
【請求項２】
前記吸引ファン（７）の一部をフィーダーケース（５）の上面から上方へ突出させ、吸引ファン（７）を覆うダクト（２４）に操縦席（３）側に向けて開口する第二吸塵口（８）を設けたことを特徴とする請求項１に記載の汎用コンバイン。
【請求項３】
前記吸塵口（６）に穀粒の通過を阻む目抜き鉄板或いは金網を設けたことを特徴とする請求項１または請求項２に記載の汎用コンバイン。
【請求項４】
前記吸引ファン（７）を電動モータ（９）で駆動する構成としたことを特徴とする請求項１から請求項３のいずれか一項に記載の汎用コンバイン。
【請求項５】
前記フィーダーケース（５）の吸引ファン（７）側の部位に穀稈投入用の開閉口（１０）を設けたことを特徴とする請求項１から請求項３のいずれか一項に記載の汎用コンバイン。
【発明の詳細な説明】
【技術分野】
【０００１】
本発明は、刈り取った穀稈の全てを脱穀装置に投入して脱穀処理する汎用コンバインに関するものである。
【背景技術】
【０００２】
汎用コンバインは、刈取装置で刈り取った穀稈をオーガで寄せ集め、フィーダーによって脱穀装置に供給して脱穀処理する構成である。
この汎用コンバインでの刈り取り作業中には、穀稈から塵埃が巻き上がって操縦席からの機体前方視界が悪くなり、刈取作業の能率が低下する問題がある。これを防ぐために、例えば、特許文献１には、フィーダーを囲うフィーダーケースの側面に設けた排塵ファンによって、刈取装置側から塵埃を吸引して機体後方へ排出する技術が開示されている。
【先行技術文献】
【特許文献】
【０００３】
【特許文献１】特開平１１−１７８４２８号公報
【発明の概要】
【発明が解決しようとする課題】
【０００４】
前記従来の汎用コンバインでは、刈取装置側から巻き上がる塵埃を少なく出来るが、フィーダーケースの周囲に巻き上がる塵埃が多く、特に操縦席の前方へ巻き上がる塵埃が運転に支障となることが有る。
【０００５】
そのために、本発明では、汎用コンバインでの収穫作業中に操縦席の前側で巻き上がる塵埃を効果的に除去して作業者の運転操作を容易化し、刈取作業の能率を高めることを目的とする。
【課題を解決するための手段】
【０００６】
上記本発明の課題は、次の技術手段により解決される。
請求項１に記載の発明は、機体の前側に刈取装置（１６）と掻込オーガ（２０）を備えた刈取前処理装置（１３）を設け、該刈取前処理装置（１３）の後側には、左右一側に操縦席（３）を設け、左右他側には刈取装置（１６）で刈り取った穀稈を掻込オーガ（２０）から引き継いで脱穀装置（４）へ供給するフィーダー（２１）を内装したフィーダーケース（５）を設けた汎用コンバインにおいて、前記フィーダーケース（５）の外側面に該フィーダーケース（５）内の塵埃を吸引する吸引ファン（７）を設けると共に、フィーダーケース（５）の操縦席（３）側の面に吸塵口（６）を設けたことを特徴とする汎用コンバインとする。
【０００７】
この構成によって、吸引ファン（７）によってフィーダーケース（５）内の塵埃が吸引されると共にフィーダーケース（５）の吸塵口（６）から操縦席（３）側の周囲に巻き上がる塵埃が吸引される。
【０００８】
請求項２に記載の発明は、前記吸引ファン（７）の一部をフィーダーケース（５）の上面から上方へ突出させ、吸引ファン（７）を覆うダクト（２４）に操縦席（３）側に向けて開口する第二吸塵口（８）を設けたことを特徴とする請求項１に記載の汎用コンバインとする。
【０００９】
この構成によって、フィーダーケース（５）の上面に巻き上がる塵埃が第二吸塵口（８）から吸引ファン（７）で吸引され、操縦席（３）近くのフィーダーケース（５）上方の視界が良くなる。
【００１０】
請求項３に記載の発明は、前記吸塵口（６）に穀粒の通過を阻む目抜き鉄板或いは金網を設けたことを特徴とする請求項１または請求項２に記載の汎用コンバインとする。
この構成で、フィーダーケース５内の穀稈が吸塵口６から飛び出しにくくなる。
【００１１】
請求項４に記載の発明は、前記吸引ファン（７）を電動モータ（９）で駆動する構成としたことを特徴とする請求項１から請求項３のいずれか一項に記載の汎用コンバインとする。
【００１２】
この構成で、吸引ファン７の駆動構成が簡略化する。
請求項５に記載の発明は、前記フィーダーケース（５）の吸引ファン（７）側の部位に穀稈投入用の開閉口（１０）を設けたことを特徴とする請求項１から請求項３のいずれか一項に記載の汎用コンバインとする。
【００１３】
この構成で、枕刈で刈った穀稈を穀稈投入用開閉口１０からフィーダーケース５に投入して安全に脱穀出来る。
【発明の効果】
【００１４】
請求項１に記載の発明によれば、吸引ファン（７）によってフィーダーケース（５）内の塵埃を吸引すると共にフィーダーケース（５）の吸塵口（６）から操縦席（３）側の周囲に巻き上がる塵埃を吸引することができ、操縦席（３）の作業者が機体の前方周りを視認しやすくなり、操作の容易化によって刈取作業の能率を高めることができる。
【００１５】
請求項２に記載の発明によれば、上記請求項１に記載の発明の効果に加え、フィーダーケース（５）の上面に巻き上がる塵埃を第二吸塵口（８）から吸引ファン（７）で吸引することができ、操縦席（３）近くのフィーダーケース（５）上方の視界が良くなり、視認性の向上によって刈取作業の能率を更に高めることができる。
【００１６】
請求項３に記載の発明によれば、上記請求項１または請求項２に記載の発明の効果を奏するうえに、フィーダーケース（５）内の穀粒が吸塵口（６）から飛び出しにくくなり、穀粒の収穫損失を低減することができる。
【００１７】
請求項４に記載の発明によれば、上記請求項１から請求項３のいずれか一項に記載の発明の効果に加え、吸引ファン（７）の駆動構成が簡素化でき、安価に提供することができる。
【００１８】
請求項５に記載の発明によれば、上記請求項１から請求項３のいずれか一項に記載の発明の効果に加え、作業者が手刈りした穀稈を脱穀装置（４）に供給することが容易になり、手扱ぎ作業の能率が向上する。
【図面の簡単な説明】
【００１９】
【図１】汎用コンバインの全体左側面図である。
【図２】汎用コンバインの全体平面図である。
【図３】汎用コンバインの機体前部の右側面図である。
【図４】図３のＳ−Ｓ断面図である。
【図５】第一実施例の汎用コンバインの機体前部の右側面図である。
【図６】図５のＳ１−Ｓ１断面図である。
【図７】第二実施例の汎用コンバインの機体前部の右側面図である。
【図８】図７のＳ２−Ｓ２断面図である。
【図９】第三実施例の汎用コンバインの機体前部の平面図である。
【図１０】第三実施例の汎用コンバインの機体前部の右側面図である。
【図１１】二番縦ラセンの平面図である。
【図１２】繋ぎラセンの平面図である。
【図１３】跳出板の平面図である。
【発明を実施するための形態】
【００２０】
以下、本発明の実施形態を図面を参照しながら説明する。
汎用コンバインは、図１と図２に示すように、左右に一対のクロ−ラ１１，１１を装備した車体１２上に穀稈供給口を前側にして脱穀装置４を搭載し、その前方に刈取前処理装置１３を設けて、一連の刈取脱穀作業ができる構成としている。そして、脱穀装置４は、刈り取った穀稈の全部を扱室に投入する全稈投入式の構成であって、上側に扱室を、下側に選別室をそれぞれ配置した汎用コンバイン用脱穀装置に構成されている。
【００２１】
次に、刈取前処理装置１３は、図面に示すように、取付けのベースとなるテーブル１４を低位置に横向きにして延長し、その左右両端に、上方に立ち上がった支持枠１５，１５を設け、該支持枠１５，１５と前記テーブル１４とに刈取装置１６と掻込みリール１８を取り付けて支持した構成となっている。
【００２２】
刈取装置１６は、図３に示すように、前記支持枠１５，１５の前部両側から前方に向けて延長して設けた分草杆１７，１７の間において、前記テーブル１４の前縁に沿わせて設けた構成としている。そして、掻込みリール１８は、前記左右両側の支持枠１５，１５の後部上側に、基部を上下自在に枢着して取付けたリール支持アーム１９，１９を油圧シリンダによって昇降自由に支持し、このリール支持アーム１９，１９を前方側に延長して先端部分に軸架して設けた構成としている。
【００２３】
掻込オーガ２０は、図面に示すように、前記刈取装置１６の刈幅と同等の長さに形成して横向きに設け、その両端を左右の支持枠１５，１５に横軸で軸受支持し、フィーダーケース５の取り込み口に向けて搬送作用するラセン３６と左右適宜間隔で設ける掻込フィンガー３５を有し、掻込フィンガー３５が刈取装置１６先端とメインフレーム３４を結ぶ直線Ｓ（図１０参照）よりも前に突き出して穀稈を引き込み、回転に伴って刈取穀稈をラセン３６と掻込フィンガー３５で掻き込みながら機体の右側に集める構成としている。
【００２４】
掻込オーガ２０によって穀稈を集める位置に穀稈を脱穀装置４へ搬送するフィーダー２１を設けて、このフィーダー２１の搬送始端部を掻込オーガ２０の背後に臨ませて、搬送終端部を前記脱穀装置４の穀稈供給口に連通させて設け、前記掻込オーガ２０が集めた刈取穀稈を脱穀装置４まで搬送して供給する構成としている。
【００２５】
このフィーダー２１は、断面四角形状のフィーダーケース５で囲って、前後略中間の左側面に電動モータ９で駆動する吸引ファン７を設け、目抜き鉄板で構成したフィーダーケース５の吸引口２６から塵埃を吸引する。吸引ファン７はダクト２４で覆い、その下部に側方へ向いて開口した排出口２５から塵埃と共に排風する。
【００２６】
後述する操縦席３側のフィーダーケース５の側面には、目抜き鉄板或いは金網で構成した吸塵口６を設けて、この周囲に発生する塵埃をフィーダーケース５内へ吸い込むようにしている。
【００２７】
従って、フィーダーケース５内の塵埃とフィーダーケース５の外側で操作席３側の塵埃を吸引ファン７で吸引し、操縦席３からの視界を良好にすることができる。また、吸引口２６及び吸塵口６には目抜き鉄板によって穀粒の飛び出しを防ぐので、塵埃のみを機体の外側方に排出することができる。
【００２８】
フィーダーケース５と脱穀装置４に対して、機体の右側に作業者が搭乗するキャビン２２と収穫した穀粒を一時的に貯留するグレンタンク２３を車体１２上に搭載している。
キャビン２２は、作業者が座る操縦席３と操縦装置とを設けている。
【００２９】
図５と図６に示す実施例では、吸引ファン７をフィーダーケース５の高い位置に取り付け、この吸引ファン７を囲うダクト２４のフィーダーケース５上面側に第二吸塵口８を開口し、この第二吸塵口８からフィーダーケース５の上面に漂う塵埃を吸引するようにしている。フィーダーケース５の上面よりも上方の塵埃を吸引できるので、更に視認性が高まる。
【００３０】
図７と図８に示す実施例では、吸引ファン７の位置に穀稈投入用の開閉口１０をフィーダーケース５に開口し、この穀稈投入用の開閉口１０を閉じる投入蓋２７を下部のヒンジ２８で取り付け、上部をノブボルト２９で閉じている。この投入蓋２７を開いて斜め下方に向かって支持し、作業者が手刈りした穀稈をフィーダーケース５内へ投入できる。
【００３１】
なお、図示を省略するが、穀稈投入用の開閉口１０に隣接して吸引ファン７を設ける構成すると好適である。
図９と図１０に示す実施例では、掻込オーガ２０上のキャビン２２前方で左右支持枠１５を連結するメインフレーム３４より前上方に穀稈送りラセン３０を設けて、メインフレーム３４に倒れかかる長い穀稈の穂先側をフィーダーケース５の取り込み口に向けて送るようにしている。この穀稈送りラセン３０は、駆動軸３２から掻込みリール１８の支持軸３３と共にチェン３１で駆動され、掻込みリール１８の回転と同期している。
【００３２】
なお、穀稈送りラセン３０の駆動を電動モータで行って、車速センサの検出する走行速度に応じて回転速度を変化するようにしても良い。
図１１，１２，１３は、二番縦ラセン３７を示し、縦ラセン軸３７ａに巻きつけるラセン３７ｂ、３７ｃを中間部で離して分割し、この中間部に繋ぎラセン３８や跳出板３９を着脱可能にし、ラセン筒に設ける掃除口から交換作業を行えるようにして、棚還元や胴還元が行えるようにしている。縦ラセン軸３７ａの中間部は、径が小さく、繋ぎラセン３８や跳出板３９を取り付けると全体の軸径が同じになるようにしている。
【００３３】
図１２は、繋ぎラセン３８を示し、軸部３８ａよりもラセン部３８ｂを長くして本体部のラセン３７ｂ、３７ｃと繋ぎ易くしている。
【符号の説明】
【００３４】
３  操縦席
４  脱穀装置
５  フィーダーケース
６  吸塵口
７  吸引ファン
８  第二吸塵口
９  電動モータ
１０  開閉口
１６  刈取装置
２０  掻込オーガ
２４  ダクト
【図１】
0005609588.tif 000002
【図２】
0005609588.tif 000003
【図３】
0005609588.tif 000004
【図４】
0005609588.tif 000005
【図５】
0005609588.tif 000006
【図６】
0005609588.tif 000007
【図７】
0005609588.tif 000008
【図８】
0005609588.tif 000009
【図９】
0005609588.tif 000010
【図１０】
0005609588.tif 000011
【図１１】
0005609588.tif 000012
【図１２】
0005609588.tif 000013
【図１３】
0005609588.tif 000014